(57)【要約】【課題】１つの先端工具で高圧引下線の心線の接続スリーブへの挿入から仮固定までの一連の作業をすることができる高圧引下線接続用仮固定先端工具を提供する。【解決手段】高圧引下線架線工事において変圧器側高圧引下線２と電線側高圧引下線３とを接続スリーブ５によって接続する際に使用するための高圧引下線接続用仮固定先端工具であって、接続スリーブ５、変圧器側高圧引下線２および電線側高圧引下線３を把持するための把持機構部１０と、接続スリーブ５に変圧器側高圧引下線２および／または電線側高圧引下線３を仮固定するための仮固定機構部２０とを具備する。把持機構部１０は絶縁ヤットコの固定把持片１１１に取り付けられ、仮固定機構部２０は絶縁ヤットコの可動把持片１１２に取り付けられる。【選択図】図３
2018064318.tif 000002
【特許請求の範囲】
【請求項１】
高圧引下線架線工事において、切断された高圧引下線（１）の変圧器側である変圧器側高圧引下線（２）と該切断された高圧引下線の高圧電線側である電線側高圧引下線（３）とを接続スリーブ（５）によって接続する際に使用するための高圧引下線接続用仮固定先端工具であって、
前記接続スリーブ、前記変圧器側高圧引下線および前記電線側高圧引下線を把持するための把持機構部（１０）と、
前記接続スリーブに前記変圧器側高圧引下線および／または前記電線側高圧引下線を仮固定するための仮固定機構部（２０）とを具備し、
前記把持機構部が絶縁ヤットコの固定把持片（１１１）に取り付けられるとともに前記仮固定機構部が該絶縁ヤットコの可動把持片（１１２）に取り付けられて使用される、
ことを特徴とする、高圧引下線接続用仮固定先端工具。
【請求項２】
前記把持機構部が、
下面に前記絶縁ヤットコの前記固定把持片の先端部を挿入するための固定把持片挿入穴（１１ａ）が形成された中央背面板（１１）と、
該中央背面板の左右にそれぞれ固定された左および右背面板（１２Ｌ，１２Ｒ）と、
該左背面板の表面に取り付けられた、かつ、前記変圧器側高圧引下線または前記電線側高圧引下線を該左背面板の上方または左側から挿入可能な左電線取付部材（１３Ｌ）、左電線誘導部材（１４Ｌ）および左スリーブ位置決め部材（１５Ｌ）と、
前記右背面板の表面に取り付けられた、かつ、前記電線側高圧引下線または前記変圧器側高圧引下線を該右背面板の上方または右側から挿入可能な右電線取付部材（１３Ｒ）、右電線誘導部材（１４Ｒ）および右スリーブ位置決め部材（１５Ｒ）と、
前記中央背面板の表面の中央部に取り付けられたスリーブ取付部材（１６）と、
前記中央背面板の表面の前記スリーブ取付部材の左右両側にそれぞれ取り付けられた左および右三角棒部材（１７Ｌ，１７Ｒ）とを備え、
前記左電線取付部材、前記左電線誘導部材および前記左スリーブ位置決め部材が、この順番で前記左背面板の左側面側から取り付けられており、
前記右電線取付部材、前記右電線誘導部材および前記右スリーブ位置決め部材が、この順番で前記右背面板の右側面側から取り付けられている、
ことを特徴とする、請求項１記載の高圧引下線接続用仮固定先端工具。
【請求項３】
前記仮固定機構部が、
下面に前記絶縁ヤットコの前記可動把持片の先端部を挿入するための可動把持片挿入穴（２１ａ）が形成された可動把持片取付部（２１）と、
裏面の中央部が凸部（２２ａ）とされたスライド部材（２２）と、
該スライド部材の表面の左右両端部にそれぞれ固定された左および右ストッパ（２３Ｌ，２３Ｒ）とを備え、
前記可動把持片取付部の裏面の中央部に、係合穴（２１ｃ）が該可動把持片取付部の左側面から右側面まで形成されており、
前記スライド部材の表面の中央部に、前記係合穴と係合する係合板（２２ｂ）が取り付けられており、
前記係合板の左側面が前記左ストッパと接するとともに、該係合板の右側面が前記右ストッパと接するようにされている、
ことを特徴とする、請求項１または２記載の高圧引下線接続用仮固定先端工具。
【発明の詳細な説明】
【技術分野】
【０００１】
本発明は、高圧引下線架線工事において、切断された高圧引下線の変圧器側および高圧電線側を接続スリーブによって接続する際に使用するのに好適な高圧引下線接続用仮固定先端工具に関する。
【背景技術】
【０００２】
従来、高圧引下線架線工事において、切断された高圧引下線の変圧器側および高圧電線側（以下、切断された高圧引下線の変圧器側を「変圧器側高圧引下線」と称し、切断された高圧引下線の高圧電線側を「電線側高圧引下線」と称する。）の接続作業（以下、「高圧引下線接続作業」と称する。）は、以下の手順で行われている。
（手順１）作業者が、停電中の変圧器に接続された変圧器側高圧引下線の心線の先端部を手元で接続スリーブ（円筒状で金属製）にその一端部側から挿入したのち、接続スリーブの一端部側を圧着工具によって押圧して、変圧器側高圧引下線の心線の先端部に接続スリーブを圧着する。
（手順２）作業者が、心線の先端部に接続スリーブが圧着された変圧器側高圧引下線を絶縁ヤットコで把持して上方（たとえば、１．５ｍほど上方）に持ち上げたのち、他の作業者が、上方に位置する充電中の高圧電線に接続された電線側高圧引下線を他の絶縁ヤットコで把持して電線側高圧引下線の心線の先端部を接続スリーブにその他端部側から挿入する。
（手順３）作業者または他の作業者が、上方において圧着工具によって接続スリーブの他端部側を押圧して、電線側高圧引下線の心線の先端部に接続スリーブを圧着する。
【０００３】
このとき、たとえば高圧引下線の心線の外径は３．２ｍｍであるとともに接続スリーブの内径は３．４ｍｍであるため、１．５ｍほど離れた上方において電線側高圧引下線の心線を接続スリーブに挿入する作業は至難であり、熟練者でないと作業に手間取ってしまうという問題があった。
【０００４】
このような問題を解決する手法として、本出願人は、下記の特許文献１において、一方の電線の心線を挿入した接続スリーブを嵌め込む溝部を形成したホルダー部と、ホルダー部の先端部側に連続して漏斗形状ないし凹曲面形状に形成されるとともに溝部から先端縁までスリットを形成した導入部と、一方の電線の絶縁被覆体を保持するためにホルダー部の後端部に連続して形成されたグリップ部とを具備し、溝部内に突出自在とされて接続スリーブの先端側を押圧するプッシャとプッシャの先端部が定常状態において溝部内に突出しないようにするための付勢部材とをホルダー部内に備えた間接活線作業用工具を提案している。
【先行技術文献】
【特許文献】
【０００５】
【特許文献１】特開２０１０−２２１３０号公報
【発明の概要】
【発明が解決しようとする課題】
【０００６】
しかしながら、上記の特許文献１で提案した間接活線作業用工具は、接続スリーブを嵌め込む溝部を形成したホルダーの先端部に漏斗形状または凹曲面形状に形成された導入部を備えることにより既存の接続スリーブを使用しながら電線の心線の先端部を接続スリーブに容易に挿入できるという利点はあるが、別の先端工具を使用して橋架片を押圧しプッシャの先端部を溝部内に突出させて接続スリーブの先端側を軽く押圧することにより仮固定（仮留め）するものであるため（公報の段落００３４）、１つの先端工具で高圧引下線の心線の接続スリーブへの挿入から仮固定までの一連の作業をすることができないという問題がある。
【０００７】
本発明の目的は、１つの先端工具で高圧引下線の心線の接続スリーブへの挿入から仮固定までの一連の作業をすることができる高圧引下線接続用仮固定先端工具を提供することにある。
【課題を解決するための手段】
【０００８】
本発明の高圧引下線接続用仮固定先端工具は、高圧引下線架線工事において、切断された高圧引下線（１）の変圧器側である変圧器側高圧引下線（２）と該切断された高圧引下線の高圧電線側である電線側高圧引下線（３）とを接続スリーブ（５）によって接続する際に使用するための高圧引下線接続用仮固定先端工具であって、前記接続スリーブ、前記変圧器側高圧引下線および前記電線側高圧引下線を把持するための把持機構部（１０）と、前記接続スリーブに前記変圧器側高圧引下線および／または前記電線側高圧引下線を仮固定するための仮固定機構部（２０）とを具備し、前記把持機構部が絶縁ヤットコの固定把持片（１１１）に取り付けられるとともに前記仮固定機構部が該絶縁ヤットコの可動把持片（１１２）に取り付けられて使用されることを特徴とする。
ここで、前記把持機構部が、下面に前記絶縁ヤットコの前記固定把持片の先端部を挿入するための固定把持片挿入穴（１１ａ）が形成された中央背面板（１１）と、該中央背面板の左右にそれぞれ固定された左および右背面板（１２Ｌ，１２Ｒ）と、該左背面板の表面に取り付けられた、かつ、前記変圧器側高圧引下線または前記電線側高圧引下線を該左背面板の上方または左側から挿入可能な左電線取付部材（１３Ｌ）、左電線誘導部材（１４Ｌ）および左スリーブ位置決め部材（１５Ｌ）と、前記右背面板の表面に取り付けられた、かつ、前記電線側高圧引下線または前記変圧器側高圧引下線を該右背面板の上方または右側から挿入可能な右電線取付部材（１３Ｒ）、右電線誘導部材（１４Ｒ）および右スリーブ位置決め部材（１５Ｒ）と、前記中央背面板の表面の中央部に取り付けられたスリーブ取付部材（１６）と、前記中央背面板の表面の前記スリーブ取付部材の左右両側にそれぞれ取り付けられた左および右三角棒部材（１７Ｌ，１７Ｒ）とを備え、前記左電線取付部材、前記左電線誘導部材および前記左スリーブ位置決め部材が、この順番で前記左背面板の左側面側から取り付けられており、前記右電線取付部材、前記右電線誘導部材および前記右スリーブ位置決め部材が、この順番で前記右背面板の右側面側から取り付けられていてもよい。
前記仮固定機構部が、下面に前記絶縁ヤットコの前記可動把持片の先端部を挿入するための可動把持片挿入穴（２１ａ）が形成された可動把持片取付部（２１）と、裏面の中央部が凸部（２２ａ）とされたスライド部材（２２）と、該スライド部材の表面の左右両端部にそれぞれ固定された左および右ストッパ（２３Ｌ，２３Ｒ）とを備え、前記可動把持片取付部の裏面の中央部に、係合穴（２１ｃ）が該可動把持片取付部の左側面から右側面まで形成されており、前記スライド部材の表面の中央部に、前記係合穴と係合する係合板（２２ｂ）が取り付けられており、前記係合板の左側面が前記左ストッパと接するとともに、該係合板の右側面が前記右ストッパと接するようにされていてもよい。
【発明の効果】
【０００９】
本発明の高圧引下線接続用仮固定先端工具は、以下に示す効果を奏する。
（１）１つの先端工具で高圧引下線の心線の接続スリーブへの挿入から仮固定までの一連の作業をすることができる。
（２）一人の作業者で高圧引下線接続作業を行うことができる。
（３）絶縁ヤットコの先端工具として使えるため、使い方が簡便で直感的に扱えるので、熟練者でなくても扱い易い。
（４）変圧器側高圧引下線に接続スリーブを予め装着した状態でも装着しない状態でも高圧引下線接続作業を行うことができる。
（５）構造が簡単であるため、壊れ難い。
【図面の簡単な説明】
【００１０】
【図１】本発明の一実施例による高圧引下線接続用仮固定先端工具が具備する把持機構部１０の構成について説明するための図であり、（ａ）はその上面図であり、（ｂ）はその正面図であり、（ｃ）はスリーブ取付部材１６の構成について説明するための図であり、（ｄ）は左スリーブ位置決め部材１５Ｌの構成について説明するための図であり、（ｅ）は左電線誘導部材１４Ｌの構成について説明するための図であり、（ｆ）は左電線取付部材１３Ｌの構成について説明するための図である。
【図２】本発明の一実施例による高圧引下線接続用仮固定先端工具が具備する仮固定機構部２０の構成について説明するための図であり、（ａ）はその上面図であり、（ｂ）はその正面図であり、（ｃ）は可動把持片取付部２１およびスライド部材２２の構成について説明するための図である。
【図３】図１に示した高圧引下線接続用仮固定先端工具の使用方法について説明するための図である。
【図４】図１に示した高圧引下線接続用仮固定先端工具の使用方法について説明するための図である。
【発明を実施するための形態】
【００１１】
上記の目的を、接続スリーブ、変圧器側高圧引下線および電線側高圧引下線を把持するための把持機構部を絶縁ヤットコの固定把持片に取り付けるとともに、接続スリーブに変圧器側高圧引下線および／または電線側高圧引下線を仮固定するための仮固定機構部を絶縁ヤットコの可動把持片に取り付けることにより実現した。
【実施例１】
【００１２】
以下、本発明の高圧引下線接続用仮固定先端工具の実施例について図面を参照して説明する。
本発明の高圧引下線接続用仮固定先端工具は、接続スリーブ、変圧器側高圧引下線および電線側高圧引下線を把持するための把持機構部と、接続スリーブに変圧器側高圧引下線および／または電線側高圧引下線を仮固定するための仮固定機構部とを具備し、絶縁ヤットコの固定把持片に把持機構部を取り付けるとともに、絶縁ヤットコの可動把持片に仮固定機構部を取り付けることにより、１つの先端工具で高圧引下線の心線の接続スリーブへの挿入から仮固定までの一連の作業をすることができるようにしたことを特徴とする。
【００１３】
そのため、本発明の一実施例による高圧引下線接続用仮固定先端工具は、図１（ａ）〜（ｆ）に示す把持機構部１０と、図２（ａ）〜（ｃ）に示す仮固定機構部２０とを具備する。
【００１４】
ここで、把持機構部１０は、図１（ａ），（ｂ）に示すように、矩形板状の中央背面板１１と、右側面が中央背面板１１の左側面に固定された矩形板状の左背面板１２Ｌと、左側面が中央背面板１１の右側面に固定された矩形板状の右背面板１２Ｒと、左背面板１２Ｌの表面に取り付けられた左電線取付部材１３Ｌ、左電線誘導部材１４Ｌおよび左スリーブ位置決め部材１５Ｌと、右背面板１２Ｒの表面に取り付けられた右電線取付部材１３Ｒ、右電線誘導部材１４Ｒおよび右スリーブ位置決め部材１５Ｒと、中央背面板１１の表面の中央部に取り付けられたスリーブ取付部材１６と、中央背面板１１の表面のスリーブ取付部材１６の左右両側にそれぞれ取り付けられた左および右三角棒部材１７Ｌ，１７Ｒとを備える。
【００１５】
中央背面板１１の下面には、図１（ａ），（ｃ）に示すように、絶縁ヤットコの固定把持片１１１の先端部を挿入するための固定把持片挿入穴１１ａが形成されている。
また、中央背面板１１の裏面には、固定把持片挿入穴１１ａに挿入された固定把持片１１１の先端部を軸部の先端部でコイルスプリング（不図示）の付勢力によって押圧して固定するための固定把持片固定つまみ１１ｂが取り付けられている。
【００１６】
なお、絶縁ヤットコは、支持棒と、支持棒の先端に設けられた把持機構と、把持機構を操作するための操作部と、操作部の動作を把持機構に伝達する伝達棒とを備える公知のものである。
把持機構は、支持棒の係合部のプレート間に挟持固定されて動かない固定把持片１１１と、伝達棒に連結されているとともに係合部のプレート間に挟持されかつ軸部を介して回転可能に軸支されて固定把持片１１１に遠近する方向に可動する可動把持片１１２（図２（ａ）参照）とを備える。
【００１７】
スリーブ取付部材１６は、図１（ｃ）に示すように、上面、左側面および右側面が開放された側面視略Ｕ字状の薄板で構成されており、裏面が中央背面板１１の表面に固定されているとともに、表面の上端部が開放端とされている。
また、スリーブ取付部材１６の表面は、内径が接続スリーブ５の外径と同じ曲面とされているとともに板バネのように自身の弾性力によって裏面側に付勢されるようにされており、図１（ｃ）に片矢印で示すように接続スリーブ５を把持機構部１０の手前上方からスリーブ取付部材１６の上部の中央背面板１１側へ向けて押し込むことにより、表面の上端部を接続スリーブ５で押して広げてスリーブ取付部材１６内に接続スリーブ５を挿入して表面と裏面とで接続スリーブ５を挟持できるようにされている（同図の両矢印参照）。
【００１８】
左および右三角棒部材１７Ｌ，１７Ｒは、長さ方向が垂直方向になるとともに互いに平行になるように、底面が中央背面板１１の表面に固定されている。
【００１９】
左および右スリーブ位置決め部材１５Ｌ，１５Ｒは、矩形板状の形状を有し、左スリーブ位置決め部材１５Ｌの右側面と右スリーブ位置決め部材１５Ｒの左側面との間隔が接続スリーブ５の長さと略同じになるように、裏面が左および右背面板１２Ｌ，１２Ｒの表面にそれぞれ固定されている。
左および右スリーブ位置決め部材１５Ｌ，１５Ｒの上面の中央部には、左スリーブ位置決め部材１５Ｌについて図１（ｄ）に示すように、切断された高圧引下線（以下、「切断高圧引下線１」と称する。）の心線１ａを貫通させるための心線貫通溝が、左および右スリーブ位置決め部材１５Ｌ，１５Ｒの左側面から右側面まで形成されている。
ここで、左および右スリーブ位置決め部材１５Ｌ，１５Ｒの心線貫通溝の横幅は、切断高圧引下線１の心線１ａは貫通させるが切断高圧引下線１の被覆部１ｂは貫通できないように、切断高圧引下線１の心線１ａの径よりも大きくかつ切断高圧引下線１の被覆部１ｂの径よりも小さくされている。
また、左および右スリーブ位置決め部材１５Ｌ，１５Ｒの心線貫通溝は、切断高圧引下線１の心線１ａを貫通させるとスリーブ取付部材１６に取り付けられた接続スリーブ５に挿入させられる位置に形成されている。
【００２０】
左電線誘導部材１４Ｌは、図１（ｅ）に示すように、上面、左側面および右側面が開放されるとともに左側面から右側面に向けて内部空間が徐々に狭められた側面視Ｕ字状の薄板で構成されており、左側面が左電線取付部材１３Ｌの右側面と接するとともに右側面が左スリーブ位置決め部材１５Ｌの左側面に接するように、裏面が左背面板１２Ｌの表面に固定されている。
左電線誘導部材１４Ｌの右側面は、切断高圧引下線１の心線１ａを貫通させるために、上部の横幅および下部の径が切断高圧引下線１の心線１ａの径と略同じＵ字状とされている。
同様に、右電線誘導部材１４Ｒは、上面、左側面および右側面が開放されるとともに右側面から左側面に向けて内部空間が徐々に狭められた側面視Ｕ字状の薄板で構成されており、右側面が右電線取付部材１３Ｒの左側面と接するとともに左側面が右スリーブ位置決め部材１５Ｒの右側面に接するように、裏面が右背面板１２Ｒの表面に固定されている。
右電線誘導部材１４Ｒの左側面は、切断高圧引下線１の心線１ａを貫通させるために、上部の横幅および下部の径が切断高圧引下線１の心線１ａの径と略同じＵ字状とされている。
【００２１】
左電線取付部材１３Ｌは、図１（ｆ）に示すように、上面、左側面および右側面が開放されるとともに横幅が切断高圧引下線１の被覆部１ｂの径よりも大きい側面視Ｕ字状の薄板で構成されており、裏面が左背面板１２Ｌの表面に固定されている。
同様に、右電線取付部材１３Ｒは、上面、左側面および右側面が開放されるとともに横幅が切断高圧引下線１の被覆部１ｂの径よりも大きい側面視Ｕ字状の薄板で構成されており、裏面が右背面板１２Ｒの表面に固定されている。
【００２２】
左電線取付部材１３Ｌ、左電線誘導部材１４Ｌおよび左スリーブ位置決め部材１５Ｌは、先端部の被覆部１ｂが取り除かれて心線１ａが剥き出しにされた切断高圧引下線１を左電線取付部材１３Ｌの左側面から挿入していくと、切断高圧引下線１の心線１ａの先端部が左電線誘導部材１４Ｌによって誘導されて左電線誘導部材１４Ｌの右側面を貫通し左スリーブ位置決め部材１５Ｌの心線貫通溝を貫通したのちにスリーブ取付部材１６に取り付けられた接続スリーブ５に挿入されるように取り付けられている。
同様に、右電線取付部材１３Ｒ、右電線誘導部材１４Ｒおよび右スリーブ位置決め部材１５Ｒは、先端部の被覆部１ｂが取り除かれて心線１ａが剥き出しにされた切断高圧引下線１を右電線取付部材１３Ｒの右側面から挿入していくと、切断高圧引下線１の心線１ａの先端部が右電線誘導部材１４Ｒによって誘導されて右電線誘導部材１４Ｒの左側面を貫通し右スリーブ位置決め部材１５Ｒの心線貫通溝を貫通したのちにスリーブ取付部材１６に取り付けられた接続スリーブ５に挿入されるように取り付けられている。
【００２３】
仮固定機構部２０は、図２（ａ），（ｂ）に示すように、矩形板状の可動把持片取付部２１と、矩形板の左右端部が手前側に垂直に曲げられた上面視コの字状のスライド部材２２と、スライド部材２２の表面の左右両端部にそれぞれ固定された左および右ストッパ２３Ｌ，２３Ｒとを備える。
【００２４】
可動把持片取付部２１の下面には、図２（ａ）〜（ｃ）に示すように、絶縁ヤットコの可動把持片１１２の先端部を挿入するための可動把持片挿入穴２１ａが形成されている。
また、可動把持片取付部２１の表面には、可動把持片挿入穴２１ａに挿入された可動把持片１１２の先端部を軸部の先端部でコイルスプリング（不図示）の付勢力によって押圧して固定するための可動把持片固定つまみ２１ｂが取り付けられている。
可動把持片取付部２１の裏面の中央部には、図２（ｃ）に示すように、側面視Ｔ字状の係合穴２１ｃが可動把持片取付部２１の左側面から右側面まで形成されている。
【００２５】
スライド部材２２の表面の中央部には、図２（ａ）〜（ｃ）に示すように、可動把持片取付部２１の係合穴２１ｃと係合する側面視Ｔ字状の係合板２２ｂが取り付けられている。
また、係合板２２ｂの左側面は左ストッパ２３Ｌと接するとともに、係合板２２ｂの右側面は右ストッパ２３Ｒと接するようにされている。
これにより、可動把持片取付部２１の左側面が左ストッパ２３Ｌに当接する位置から可動把持片取付部２１の右側面が右ストッパ２３Ｒに当接する位置までスライド部材２２を可動把持片取付部２１に対してスライドさせることができるようにされている。
【００２６】
スライド部材２２の裏面の中央部は、図２（ａ）に示すように、高さが左および右三角棒部材１７Ｌ，１７Ｒの長さよりも長くされた凸部２２ａとされている。
これにより、可動把持片取付部２１の左側面が左ストッパ２３Ｌに当接する位置までスライド部材２２を可動把持片取付部２１に対してスライドさせたのち、絶縁ヤットコを操作して固定把持片１１１と可動把持片１１２とを閉じると、スリーブ取付部材１６に取り付けられた接続スリーブ５を右三角棒部材１７Ｒとスライド部材２２の凸部２２ａとで前後から押圧して、接続スリーブ５に挿入された切断高圧引下線１の心線１ａの仮固定が行えるようにされている（右側に位置する電線側高圧引下線３の心線３ａの仮固定を示す図３（ｃ）参照）。
同様に、可動把持片取付部２１の右側面が右ストッパ２３Ｒに当接する位置までスライド部材２２を可動把持片取付部２１に対してスライドさせたのち、絶縁ヤットコを操作して固定把持片１１１と可動把持片１１２とを閉じると、スリーブ取付部材１６に取り付けられた接続スリーブ５を左三角棒部材１７Ｌとスライド部材２２の凸部２２ａとで前後から押圧して、接続スリーブ５に挿入された切断高圧引下線１の心線１ａの仮固定が行えるようにされている（左側に位置する電線側高圧引下線３の心線３ａの仮固定を示す図４（ｃ）参照）。
【００２７】
次に、左側に位置する変圧器側高圧引下線２と右側に位置する電線側高圧引下線３とを接続スリーブ５によって接続する際の本実施例による高圧引下線接続用仮固定先端工具の使用方法について、図３（ａ）〜（ｃ）を参照して説明する。
（手順１）作業者が、手元で変圧器側高圧引下線２の心線２ａの先端部を接続スリーブ５にその左端部側から挿入したのち、接続スリーブ５の左端部側を圧着工具によって押圧して、変圧器側高圧引下線２の心線２ａの先端部に接続スリーブ５を圧着する。
（手順２）作業者が、絶縁ヤットコの固定把持片１１１に把持機構部１０を取り付けるとともに絶縁ヤットコの可動把持片１１２に仮固定機構部２０を取り付けたのち、仮固定機構部２０のスライド部材２２を可動把持片取付部２１の左側面が左ストッパ２３Ｌに当接するまでスライドさせる。
（手順３）作業者が、図３（ａ）に白矢印で示すように、把持機構部１０の上方から、変圧器側高圧引下線２の被覆部２ｂを左電線取付部材１３Ｌに押し込み、変圧器側高圧引下線２の心線２ａを左電線誘導部材１４Ｌおよび左スリーブ位置決め部材１５Ｌに押し込むとともに、接続スリーブ５をスリーブ取付部材１６に押し込んで、心線２ａの先端部に接続スリーブ５が圧着された変圧器側高圧引下線２を把持機構部１０に取り付ける。
（手順４）作業者が、絶縁ヤットコを操作して高圧引下線接続用仮固定先端工具を上方（たとえば、１．５ｍほど上方）に持ち上げたのち、上方に位置する電線側高圧引下線３を他の絶縁ヤットコを用いて把持して、図３（ｂ）に矢印で示すように電線側高圧引下線３を把持機構部１０の右側から右電線取付部材１３Ｒ、右電線誘導部材１４Ｒおよび右スリーブ位置決め部材１５Ｒの順に挿入していく。
これにより、電線側高圧引下線３の心線３ａの先端部が右電線誘導部材１４Ｒおよび右スリーブ位置決め部材１５Ｒを貫通して接続スリーブ５にその右端部側から挿入される。
（手順５）作業者が、絶縁ヤットコを操作して固定把持片１１１と可動把持片１１２とを閉じることにより、図３（ｃ）に示すように把持機構部１０の右三角棒部材１７Ｒと仮固定機構部２０のスライド部材２２の凸部２２ａとで接続スリーブ５の右端部側を押圧して、電線側高圧引下線３の心線３ａを接続スリーブ５に仮固定する。
（手順６）作業者が、絶縁ヤットコを操作して固定把持片１１１と可動把持片１１２とを開いたのち、他の絶縁ヤットコを操作して電線側高圧引下線３を持ち上げて電線側高圧引下線３を右電線取付部材１３Ｒ、右電線誘導部材１４Ｒおよび右スリーブ位置決め部材１５Ｒから取り外すとともに接続スリーブ５の右端部側をスリーブ取付部材１６から取り外し、電線側高圧引下線３から他の絶縁ヤットコを外したのち、変圧器側高圧引下線２を他の絶縁ヤットコで把持して持ち上げて、変圧器側高圧引下線２を左電線取付部材１３Ｌ、左電線誘導部材１４Ｌおよび左スリーブ位置決め部材１５Ｌから取り外すとともに接続スリーブ５の左端部側をスリーブ取付部材１６から取り外す。
（手順７）作業者が、絶縁ヤットコから圧着工具が取り付けられた間接活線工具に持ち替えて、圧着工具を用いて接続スリーブ５の右端部側を押圧する。
【００２８】
なお、上記の手順１で接続スリーブ５の左端部側を圧着工具によって押圧することにより変圧器側高圧引下線２の心線２ａの先端部に接続スリーブ５を圧着したが、以下のようにして変圧器側高圧引下線２の心線２ａを接続スリーブ５に仮固定してもよい。
作業員が、絶縁ヤットコの固定把持片１１１に把持機構部１０を取り付けるとともに絶縁ヤットコの可動把持片１１２に仮固定機構部２０を取り付けたのち、仮固定機構部２０のスライド部材２２を可動把持片取付部２１の右側面が右ストッパ２３Ｒに当接するまでスライドさせる。
作業員が、接続スリーブ５を把持機構部１０のスリーブ取付部材１６に取り付けたのち、変圧器側高圧引下線２を把持機構部１０の左側から左電線取付部材１３Ｌ、左電線誘導部材１４Ｌおよび左スリーブ位置決め部材１５Ｌの順に挿入していく。これにより、変圧器側高圧引下線２の心線２ａの先端部が左電線誘導部材１４Ｌおよび左スリーブ位置決め部材１５Ｌを貫通して接続スリーブ５にその左端部側から挿入される。
作業者が、絶縁ヤットコを操作して固定把持片１１１と可動把持片１１２とを閉じることにより、把持機構部１０の左三角棒部材１７Ｌと仮固定機構部２０のスライド部材２２の凸部２２ａとで接続スリーブ５の左端部側を押圧して、変圧器側高圧引下線２の心線２ａを接続スリーブ５に仮固定する。
【００２９】
次に、右側に位置する変圧器側高圧引下線２と左側に位置する電線側高圧引下線３とを接続スリーブ５によって接続する際の本実施例による高圧引下線接続用仮固定先端工具の使用方法について、図４（ａ）〜（ｃ）を参照して説明する。
（手順１）作業者が、手元で変圧器側高圧引下線２の心線２ａの先端部を接続スリーブ５にその右端部側から挿入したのち、接続スリーブ５の右端部側を圧着工具によって押圧して、変圧器側高圧引下線２の心線２ａの先端部に接続スリーブ５を圧着する。
（手順２）作業者が、絶縁ヤットコの固定把持片１１１に把持機構部１０を取り付けるとともに絶縁ヤットコの可動把持片１１２に仮固定機構部２０を取り付けたのち、仮固定機構部２０のスライド部材２２を可動把持片取付部２１の右側面が右ストッパ２３Ｒに当接するまでスライドさせる。
（手順３）作業者が、図４（ａ）に白矢印で示すように、把持機構部１０の上方から、変圧器側高圧引下線２の被覆部２ｂを右電線取付部材１３Ｒに押し込み、変圧器側高圧引下線２の心線２ａを右電線誘導部材１４Ｒおよび右スリーブ位置決め部材１５Ｒに押し込むとともに、接続スリーブ５をスリーブ取付部材１６に押し込んで、心線２ａの先端部に接続スリーブ５が圧着された変圧器側高圧引下線２を把持機構部１０に取り付ける。
（手順４）作業者が、絶縁ヤットコを操作して高圧引下線接続用仮固定先端工具を上方（たとえば、１．５ｍほど上方）に持ち上げたのち、上方に位置する電線側高圧引下線３を他の絶縁ヤットコを用いて把持して、図４（ｂ）に矢印で示すように電線側高圧引下線３を把持機構部１０の左側から左電線取付部材１３Ｌ、左電線誘導部材１４Ｌおよび左スリーブ位置決め部材１５Ｌの順に挿入していく。
これにより、電線側高圧引下線３の心線３ａの先端部が左電線誘導部材１４Ｌおよび左スリーブ位置決め部材１５Ｌを貫通して接続スリーブ５にその左端部側から挿入される。
（手順５）作業者が、絶縁ヤットコを操作して固定把持片１１１と可動把持片１１２とを閉じることにより、図４（ｃ）に示すように把持機構部１０の左三角棒部材１７Ｌと仮固定機構部２０のスライド部材２２の凸部２２ａとで接続スリーブ５の左端部側を押圧して、電線側高圧引下線３の心線３ａを接続スリーブ５に仮固定する。
（手順６）作業者が、絶縁ヤットコを操作して固定把持片１１１と可動把持片１１２とを開いたのち、他の絶縁ヤットコを操作して電線側高圧引下線３を持ち上げて電線側高圧引下線３を左電線取付部材１３Ｌ、左電線誘導部材１４Ｌおよび左スリーブ位置決め部材１５Ｌから取り外すとともに接続スリーブ５の左端部側をスリーブ取付部材１６から取り外し、電線側高圧引下線３から他の絶縁ヤットコを外したのち、変圧器側高圧引下線２を他の絶縁ヤットコで把持して持ち上げて、変圧器側高圧引下線２を右電線取付部材１３Ｒ、右電線誘導部材１４Ｒおよび右スリーブ位置決め部材１５Ｒから取り外すとともに接続スリーブ５の左端部側をスリーブ取付部材１６から取り外す。
（手順７）作業者が、絶縁ヤットコから圧着工具が取り付けられた間接活線工具に持ち替えて、圧着工具を用いて接続スリーブ５の左端部側を押圧する。
【符号の説明】
【００３０】
１  切断高圧引下線
１ａ，２ａ，３ａ  心線
１ｂ，２ｂ，３ｂ  被覆部
２  変圧器側高圧引下線
３  電線側高圧引下線
５  接続スリーブ
１０  把持機構部
１１  中央背面板
１１ａ  固定把持片挿入穴
１１ｂ  固定把持片固定つまみ
１２Ｌ，１２Ｒ  左および右背面板
１３Ｌ，１３Ｒ  左および右電線取付部材
１４Ｌ，１４Ｒ  左および右電線誘導部材
１５Ｌ，１５Ｒ  左および右スリーブ位置決め部材
１６  スリーブ取付部材
１７Ｌ，１７Ｒ  左および右三角棒部材
２０  仮固定機構部
２１  可動把持片取付部
２１ａ  可動把持片挿入穴
２１ｂ  可動把持片固定つまみ
２１ｃ  係合穴
２２  スライド部材
２２ａ  凸部
２２ｂ  係合板
２３Ｌ，２３Ｒ  左および右ストッパ
１１１  固定把持片
１１２  可動把持片
【図１】
2018064318.tif 000003
【図２】
2018064318.tif 000004
【図３】
2018064318.tif 000005
【図４】
2018064318.tif 000006